【事件の表示】
　特願２０１６−　１１８９３「挟み式ピアスホルダー」拒絶査定不服審判事件〔平成２９年　７月１３日出願公開，特開２０１７−１２１４５５、請求項の数（１）〕について，次のとおり審決する。
【結　論】
　原査定を取り消す。
　本願の発明は，特許すべきものとする。
【理　由】
第１　手続の経緯
　本願は，平成２８年１月７日の出願であって，平成２８年８月４日付けで拒絶理由通知がされ，平成２８年１０月１日付け（１０月３日受付）で意見書が提出されるとともに手続補正がされ，平成２９年３月１６日付けで拒絶理由が通知され，平成２９年７月１４日付けで意見書が提出されるとともに手続補正がされたが，平成２９年１０月６日付けで拒絶査定（原査定）がされ，これに対し，平成３０年１月１１日に拒絶査定不服審判の請求がされると同時に手続補正がされたものである。
第２　原査定の概要
　原査定（平成２９年１０月６日付け拒絶査定）の概要は次のとおりである。
　本願の請求項１に係る発明は，以下の引用文献１，２に基づいて，その発明の属する技術の分野における通常の知識を有する者（以下，「当業者」という。）が容易に発明できたものであるから，特許法第２９条第２項の規定により特許を受けることができない。
引用文献等一覧
　１．実願昭５８−９７４７２号（実開昭６０−１３３９６２号）のマイクロフィルム
　２．登録実用新案第３０５７９８２号公報
第３　本願発明
　本願請求項１に係る発明（以下，「本願発明」という。）は，平成３０年１月１１日付けの手続補正で補正された特許請求の範囲の請求項１に記載された事項により特定される発明であり，以下のとおりの発明である。
「端部に凹部を設けたピアスホルダーの板体と同じく凹部を設けたピアスホルダーの板体の間に衝撃吸収材を挟むように設置し，合わさった凹部の内側部分の衝撃吸収材の端部にスリットを少なくとも１本または複数本形成し，そのスリットの挿入口からピアスのキャッチを装着したままピアスのポスト部分を差し込むことでピアスを保持固定することを特徴とするピアスホルダー。」
第４　引用文献，引用発明等
（１）引用文献１について
　原査定の拒絶の理由に引用された引用文献１には，図面とともに次の事項が記載されている（下線は当審で付与した（以下同様）。）。
ア．「本考案は身飾品の陳列具に関し，特にＵ字型のアームを有する
イヤリングを着止し，
陳列することができる身飾品の陳列具
イ．「本考案の
陳列具に着止されうる身飾品
ウ．「以下，本考案の一実施例を図面に従つて説明する。
　第２図乃至第５図において，Ｃは第１図で示したようなＵ字型のアーム６を有するイヤリングＡを挾着するための陳列具である。１０は合成樹脂材で矩形状に形成されたベース板で，このベース板１０の上端部は図示のように裏面側に折曲形成され，陳列具Ｃが他物に吊り下げることができるように係合部としての掛合片１１が設けられている。
１２は図示の如くベース板１０の下端から該ベース板１０の長手方向中央に向つて形成された切欠部である。１３は前記切欠部１２と対応する位置で該切欠部と同方向に切り溝１４が形成され，
前記ベース板１０の裏側下面に貼着されたゴムあるいはスポンジなどの弾性部材
　上記構成の
身飾品の陳列具
イヤリングＡを陳列具Ｃに挾着させる
あらかじめねじ部材２を締め付けた状態のイヤリングＡを
そのまま第４図で示す矢印方向から
弾性部材の切り溝１４へと通してやる。
イヤリングのねじ部材２が
第４図の実線の位置まで挿入される。
エ．「第６図の実施例において前記第２図の実施例と主に異なる点は，陳列具Ｃ１のベース板１０Ａに形成された切欠部１２Ａおよび弾性部材１３Ａに形成された切り溝１４Ａの数である。該実施例では切欠部１２Ａおよび切り溝１４が所要間隔を有してそれぞれ２個設けられている。」(明細書７ページ１７行〜８ページ２行)
オ．「以上の説明から明らかなように本考案にあつては，一側端から中央に向つて切欠部が形成されたベース板と，前記切欠部と対応する位置で該切欠部と同方向に切り溝が形成されかつ弾性力により身飾品をそのまま着脱自在に挾着する前記ベース板の一側面に貼着された弾性部材とから成る身飾品の陳列具なので，次に列挙するような実用上優れた効果を得ることができる。
（１）あらかじめイヤリングのねじ部材を締め付けておいた状態で，いわゆるワンタツチでイヤリングを陳列具に挾着させることができる。それ故に取付作業の能率化を図ることができる。
（２）陳列具にイヤリングのアームが変形しないように挾着させることができるので，長い間商品を陳列しても商品の価値を減殺させる恐れが全くない。
（３）イヤリングが弾性部材の弾性力により確実に挾着されているので，従来の陳列具のように滑動して落下することもない。
（４）陳列具を簡単に他物に掛合して吊り下げることができる。」(明細書８ページ１９行〜９ページ２０行）
カ．上記ウの下線部の記載事項と第２図，第３図の図示内容からみて，ベース板１０の下端から長手方向中央に向つて切欠部１２を形成したベース板１０の裏側下面に弾性部材１３を貼着していること，及び，前記切欠き部１２の内側部分の弾性部材１３の端部に切り溝１４を１本形成していることが理解できる。
　また，上記ア〜ウの下線部の記載事項と第４図，第５図の図示内容からみて，あらかじめねじ部材２を締め付けた状態のイヤリングＡのねじ部材２をそのまま弾性部材１３の切り溝１４の挿入口（第４図の矢印方向）から挿入することでイヤリングＡを陳列具Ｃによって挾着，着止することが理解できる。
　これらの記載事項から，引用文献１には次の発明（以下，「引用発明」という。）が記載されていると認められる。
＜引用発明＞
「ベース板１０の下端から長手方向中央に向つて切欠部１２を形成したベース板１０の裏側下面に弾性部材１３を貼着し，前記切欠き部１２の内側部分の弾性部材１３の端部に切り溝１４を１本形成し，あらかじめねじ部材２を締め付けた状態のイヤリングＡのねじ部材２をそのまま弾性部材１３の切り溝１４の挿入口から挿入することでイヤリングＡを陳列具Ｃによって挾着，着止する，身飾品の陳列具。」
（２）引用文献２について
　原査定の拒絶の理由に引用された引用文献２には，図面とともに次の事項が記載されている。
ア．「【０００１】
【考案の属する技術分野】
　本考案はピアスを使用しやすい状態で保管する技術に関する。」
イ．「【０００６】
【考案の目的】
　本考案は上記課題に鑑みてなされたものであり，本考案の目的は，上記課題を解決できる，ピアススタンドを提供することにある。
　具体的な目的の一例を示すと，以下の通りである。
(ａ)多数個のピアスを見やすい状態で保管又は展示できる安価なピアススタンドを提供する。
(ｃ)多量のピアスを少ないスペースで保管又は展示できるピアススタンドを提供する。
(ｄ)いろいろな構成のピアスに使用できるともに，ピアスの着脱処理が簡単であるピアススタンドを提供する。
(ｂ)ピアスを使用可能な保管状態からピアスを持って移動する状態，整理して収納する状態への移行が簡単に行えるピアススタンドを提供する。」
ウ．「 【００１５】
【実施の形態】
　以下，本考案の実施の形態を図面に基づき説明する。
　図１は本考案の第１実施形態を示すピアススタンドの立設状態の斜視図，図２はピアスを取り付けていない状態でピアススタンドを折り畳んだ場合の斜視図，図３は図２のIII−III線縦断面図である。
　図４はピアスを網体に取り付ける一形態を示す斜視図であり，図４（Ａ）は網体に取り付ける前の状態を示す図，図４（Ｂ）は網体にピアスを取り付けた後の状態を示す図である。
【００１６】
　図１に示すように，
このピアススタンド１０は，網体２を備えた四角形の枠体３を２個並べ，それら枠体３を折曲部４で開閉自在に接続した構成としてある。
　図４に示すように，
網体２の網目の大きさは，ピアス１の取付具，例えば取付棒１１が網体２の開口１２を通過でき，ピアス１を取り付けることができる大きさに設定される。
　ピアス取付具は，前記取付棒１１以外にもフック形状，リング形状など多種多様のものがあり，そのようなものを網体２に取り付けることができる。特に，
網体２が柔軟性のあるものであれば，取り付け作業が行いやすくなる。
　図４は，
ピアス１の飾り具１８に固着された取付棒１１を網体２の開口１２に通過させ，その取付棒１１をピアス止め具１６によって固定することにより，網体２にピアス１を取り付ける場合を示したものである。
【００１７】
　
各枠体３は，図３に示すように一対の板材１３を組み合わせた構成としてあり，網体２の外縁部２ａを板材１３で挟み込むことにより，枠体３に網体２を張ったように固定してある。
　折曲部４は，図１に示すように，枠体３の長辺３ａ（縦辺）の端部を接続するように設けられる折曲自在の部材であり，その折曲部４によって一対の枠体３を角度を持って開いて立設した状態（図１参照）と，折り畳んだ状態（図２参照）とに選択自在にすることができる。折曲部４は布，ゴム，折曲自在な合成樹脂，蝶番，回動部などで構成される。
　なお，この第１実施形態では，図２に示すように枠体３を折り畳んだ状態にする場合は，網体２に取り付けられたピアスを全て取り外した後で行う。」
　そうすると，引用文献２には，以下の事項が記載されているといえる。
「各枠体３は，一対の板材を組み合わせた構成としてあり，柔軟性のある網体２の外縁部２ａを板材１３で挟み込むことにより，枠体３に網体２を張ったように固定し，網体２を備えた四角形の枠体３を２個並べて，それらの枠体３を折曲部４で開閉自在に接続したピアススタンド１０。」（以下，「引用文献２記載事項１」という。）
及び
「ピアス１の飾り具１８に固着された取付棒１１を網体２の開口１２に通過させ，当該取付棒１１をピアス留め具１６によって固定することにより，網体２にピアスを取り付けること」（以下，「引用文献２記載事項２」という。）
第５　対比・判断
（１）対比
　本願発明と，引用発明とを対比すると，次のことがいえる。
　後者の「ベース板１０」は前者の「板体」に相当し，以下同様に，「切欠部１２」は「凹部」に，「弾性部材１３」は「衝撃吸収材」に，「貼着」は「設置」に，「切り溝１４」は「スリット」に，「１本形成」することは「少なくとも１本または複数本形成」することに，「挿入する」ことは「差し込む」ことに，「挾着，着止する」ことは「保持固定する」ことに，それぞれ相当する。
　後者の「イヤリングＡ」と前者の「ピアス」とは「身飾品」で共通し，後者の「身飾品の陳列具」と前者の「ピアスホルダー」とは「身飾品のホルダー」である点で共通する。
　後者の「ベース板１０の下端から長手方向中央に向つて切欠部１２を形成したベース板１０の裏側下面に弾性部材１３を貼着」することと，前者の「端部に凹部を設けたピアスホルダーの板体と同じく凹部を設けたピアスホルダーの板体の間に衝撃吸収材を挟むように設置」することとは，「端部に凹部を設けた身飾品のホルダーの板体に衝撃吸収材を設置」することで共通する。
　後者の「前記切欠き部１２の内側部分の弾性部材１３の端部に切り溝１４を１本形成」することと，前者の「合わさった凹部の内側部分の衝撃吸収材の端部にスリットを少なくとも１本または複数本形成」することとは，「凹部の内側部分の衝撃吸収材の端部にスリットを少なくとも１本または複数本形成」することで共通する。
　後者の「あらかじめねじ部材２を締め付けた状態のイヤリングＡのねじ部材２をそのまま弾性部材１３の切り溝１４の挿入口から挿入することでイヤリングＡを陳列具Ｃによって挾着，着止する」ことと，前者の「そのスリットの挿入口からピアスのキャッチを装着したままピアスのポスト部分を差し込むことでピアスを保持固定すること」とは，「そのスリットの挿入口から身飾品の部分を差し込むことで身飾品を保持固定すること」で共通する。
　そうすると，両者は，
「端部に凹部を設けた身飾品のホルダーの板体に衝撃吸収材を設置し，凹部の内側部分の衝撃吸収材の端部にスリットを少なくとも１本または複数本形成し，そのスリットの挿入口から身飾品の部分を差し込むことで身飾品を保持固定する，身飾品のホルダー。」
の点で一致し，以下の各点で相違する。
＜相違点１＞
　端部に凹部を設けた身飾品のホルダーの板体に衝撃吸収材を設置し，凹部の内側部分の衝撃吸収材の端部にスリットを少なくとも１本または複数本形成することに関して，本願発明では，「端部に凹部を設けたピアスホルダーの板体と同じく凹部を設けたピアスホルダーの板体の間に衝撃吸収材を挟むように設置し，合わさった」凹部の内側部分の衝撃吸収材の端部にスリットを形成するものであるのに対して，引用発明では，ベース板１０の下端から長手方向中央に向つて切欠部１２を形成したベース板１０の裏側下面に弾性部材１３を貼着し，切欠き部１２の内側部分の弾性部材１３の端部に切り溝１４を形成するものである点。
＜相違点２＞
　スリットの挿入口から身飾品の部分を差し込むことで身飾品を保持固定する，身飾品のホルダーに関して，本願発明では，スリットの挿入口から「ピアスのキャッチを装着したままピアスのポスト部分」を差し込むことで「ピアス」を保持固定する，「ピアスホルダー」であるのに対して，引用発明では，あらかじめねじ部材２を締め付けた状態のイヤリングＡのねじ部材２をそのまま弾性部材１３の切り溝１４の挿入口から挿入することでイヤリングＡを陳列具Ｃによって挾着，着止する，身飾品の陳列具である点。
（２）相違点１についての検討
　本願発明と引用文献２記載事項１とを対比すると，後者の「ピアススタンド１０」は前者の「ピアスホルダー」に相当し，以下同様に，「板材」は「板体」に相当する。
　後者の「網体２」は，柔軟性のあるものであって，枠体１３に張ったように固定されるから，前者の「衝撃吸収材」とは，「ピアスを保持する部材」であることで共通する。
　そうすると，引用文献２には，以下の事項が開示されているといえる。
「ピアスホルダーの板体と同じくピアスホルダーの板体の間にピアスを保持する部材を挟むように設置した，ピアスホルダー」（以下，「引用文献２開示事項１」という。）
　ここで，引用発明を開示する引用文献１には，身飾品として「イヤリング」しか開示がなく，ピアスについては何ら記載されていないから，引用発明の身飾品の対象として，引用文献２開示事項１の「ピアス」を直ちに適用することの動機付けはない。
　さらに，引用発明の「ベース板１０（板体）の下端から長手方向中央に向つて切欠部１２（凹部）を形成したベース板１０（板体）の裏側下面に弾性部材１３（衝撃吸収材）を貼着（設置）し，切欠き部１２（凹部）の内側部分の弾性部材１３（衝撃吸収材）の端部に切り溝１４（スリット）を一本形成する，身飾品の陳列具（ホルダー）」に，上記引用文献２開示事項１を仮に適用できたとしても，本願発明の「端部に凹部を設けた」ピアスホルダーの板体と同じく「凹部を設けた」ピアスホルダーの板体の間に「衝撃吸収材」を挟むように設置し，「合わさった」凹部の内側部分の衝撃吸収材の端部にスリットを形成するという，相違点１に係る本願発明の発明特定事項にはならない。
　そして，相違点１における本願発明の発明特定事項により，本願発明は，長期間に渡る多数回の着脱に衝撃吸収材が外れることなく耐えることができるという格別の作用効果を奏するものである。
（３）相違点２についての検討
　本願発明と引用文献２記載事項２とを対比すると，後者の「取付棒１１」は前者の「ポスト部分」に相当し，以下同様に，「ピアス留め具１６」は「ピアスのキャッチ」に「取り付けること」は「保持固定すること」に，「網体２の開口に通過させ」ることは「差し込」むことに，それぞれ相当する。
　そうすると，引用文献２には，以下の事項が開示されているといえる。
「ピアスのキャッチを外してピアスのポスト部分を網体２に差し込んだ後にピアスのキャッチによって固定してピアスを保持固定すること」（以下，「引用文献２開示事項２」という。）
　ここで，引用発明を開示する引用文献１には，身飾品として「イヤリング」しか開示がなく，ピアスについては何ら記載されていないから，引用発明の身飾品の対象として，引用文献２開示事項２の「ピアス」を直ちに適用することの動機付けはない。
　さらに，引用発明の「あらかじめねじ部材２を締め付けた状態のイヤリングＡ（身飾品）のねじ部材２をそのまま弾性部材１３の切り溝１４（スリット）の挿入口から挿入することでイヤリングＡ（身飾品）を連列具Ｃ（ホルダー）によって挾着，着止（保持固定）する，身飾品の陳列具（ホルダー）」に，上記引用文献２開示事項２を仮に適用できたとしても，スリットの挿入口から「ピアスのキャッチを装着したままピアスのポスト部分」を差し込むことでピアスを保持固定するという，相違点２に係る本願発明の発明特定事項にはならない。
　そして，相違点２に係る本願発明の発明特定事項により，本願発明は，ピアスのキャッチを落とすことを防止できるという格別の作用効果を奏するものである。
（４）小括
　以上のとおりであるから，本願発明は，引用発明及び引用文献２記載事項１，２に基づいて，当業者が容易に発明をすることができたものとはいえない。　
 第６　むすび
　以上のとおり，原査定の理由によっては，本願を拒絶することはできない。
　また，他に本願を拒絶すべき理由を発見しない。
　よって，結論のとおり審決する。